(57)【特許請求の範囲】
【請求項１】
背面側から照射される光によって発光する表示部と、
繊維を織って構成され、前記表示部の前面を覆い、かつ発光する前記表示部の光を前面側に通過させる覆い部と、
を備え、
前記覆い部は、透明または半透明な樹脂繊維を織って構成されており、
前記覆い部の前面に金属膜が形成されている表示装置。
【請求項２】
背面側から照射される光によって発光する表示部と、
繊維を織って構成され、前記表示部の前面を覆い、かつ発光する前記表示部の光を前面側に通過させる覆い部と、
を備え、
前記覆い部は、透明または半透明な樹脂繊維を織って構成されており、
前記覆い部の背面に金属膜が形成されている表示装置。
【請求項３】
背面側から照射される光によって発光する表示部と、
繊維を織って構成され、前記表示部の前面を覆い、かつ発光する前記表示部の光を前面側に通過させる覆い部と、
を備え、
前記繊維は、透明または半透明な樹脂繊維であり、表面に金属膜が形成されている表示装置。
【請求項４】
前記覆い部は、光透過性を有し、前記表示部の光を背面側から前面側に透過させる
請求項１から３の何れか１項に記載の表示装置。
【請求項５】
前記表示部は、車両用メータの文字板の背面側に配置され、情報を表示するインジケータであり、
前記覆い部は、前記文字板における前記インジケータと対向する領域に配置されている
請求項１から４の何れか１項に記載の表示装置。
【発明の詳細な説明】
【技術分野】
【０００１】
本発明は、表示装置に関する。
【背景技術】
【０００２】
従来、発光する表示部を有する表示装置がある。特許文献１には、中心に開口部が形成された表示部を有し、該表示部の表面が金属調に処理され、表示意匠が設けられた第１の文字板と、第１の文字板の開口部を覆うように配置され、第１の文字板の表示意匠と異なる表示意匠が設けられた第２の文字板と、第１の文字板の開口部を覆うように第２の文字板の前面に配置された金属製のメッシュ板とを備えた文字板並びにそれを用いた表示計器の技術が開示されている。
【０００３】
特許文献１のメッシュ板は、複数の細孔が規則的にメッシュ状に形成されている。細孔は、光源の点灯時に表示意匠がメッシュ板を介して視認され、光源の消灯時に表示意匠がメッシュ板を介してほとんど視認されない程度の寸法で形成されている。
【先行技術文献】
【特許文献】
【０００４】
【特許文献１】特開２００５−７７２０８号公報
【発明の概要】
【発明が解決しようとする課題】
【０００５】
表示装置において、意匠性の更なる向上が望まれている。例えば、発光する表示部の前面を覆う部材が立体感を有するものであると、表示装置の意匠性が向上すると考えられる。
【０００６】
本発明の目的は、意匠性に優れた表示装置を提供することである。
【課題を解決するための手段】
【０００７】
本発明の表示装置は、背面側から照射される光によって発光する表示部と、繊維を織って構成され、前記表示部の前面を覆い、かつ発光する前記表示部の光を前面側に通過させる覆い部と、を備えることを特徴とする。
【０００８】
上記表示装置において、前記覆い部は、光透過性を有し、前記表示部の光を背面側から前面側に透過させることが好ましい。
【０００９】
上記表示装置において、前記覆い部は、透明または半透明な樹脂繊維を織って構成されており、前記覆い部の前面に金属膜が形成されていることが好ましい。
【００１０】
上記表示装置において、前記覆い部は、透明または半透明な樹脂繊維を織って構成されており、前記覆い部の背面に金属膜が形成されていることが好ましい。
【００１１】
上記表示装置において、前記繊維は、透明または半透明な樹脂繊維であり、表面に金属膜が形成されていることが好ましい。
【００１２】
上記表示装置において、前記表示部は、車両用メータの文字板の背面側に配置され、情報を表示するインジケータであり、前記覆い部は、前記文字板における前記インジケータと対向する領域に配置されていることが好ましい。
【発明の効果】
【００１３】
本発明に係る表示装置は、背面側から照射される光によって発光する表示部と、繊維を織って構成され、表示部の前面を覆い、かつ発光する表示部の光を前面側に通過させる覆い部と、を備える。繊維を織って構成される覆い部は、立体感を有したものとなる。よって、本発明に係る表示装置は、意匠性に優れるという効果を奏する。
【図面の簡単な説明】
【００１４】
【図１】図１は、第１実施形態に係る表示装置の平面図である。
【図２】図２は、第１実施形態に係る表示装置の断面図である。
【図３】図３は、第１実施形態に係る覆い部の拡大平面図である。
【図４】図４は、第１実施形態に係る覆い部の断面図である。
【図５】図５は、インジケータの表示状態の一例を示す平面図である。
【図６】図６は、インジケータの表示状態の他の例を示す平面図である。
【図７】図７は、第２実施形態に係る覆い部の断面図である。
【発明を実施するための形態】
【００１５】
以下に、本発明の実施形態に係る表示装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１６】
［第１実施形態］
図１から図６を参照して、第１実施形態について説明する。本実施形態は、表示装置に関する。図１は、第１実施形態に係る表示装置の平面図、図２は、第１実施形態に係る表示装置の断面図、図３は、第１実施形態に係る覆い部の拡大平面図、図４は、第１実施形態に係る覆い部の断面図である。図２には、図１のII−II断面が示されており、図４には、図３のIV−IV断面が示されている。
【００１７】
図１に示す表示装置１は、車両用メータである。表示装置１は、例えば、車両のインストルメントパネル２に配置される。表示装置１は、車両に関する情報、例えば、走行速度、機関回転速度、負荷の大きさ、燃費、燃料や蓄電量の残量を表示する。また、表示装置１は、画像を表示する画像表示部を有していてもよい。本実施形態の表示装置１は、複数の円形表示部３を有するコンビネーションメータである。より具体的には、表示装置１の文字板７は、左右方向に並んで配置された二つの円形表示部３を有する。円形表示部３は、指針５によって指し示される指標が設けられたメータ文字板である。二つの円形表示部３の間には、画像表示部４が配置されている。
【００１８】
表示装置１は、図１等に示す覆い部３１と、図２等に示す表示部としてのインジケータ１０ａとを有する。図１および図２に示すように、円形表示部３は、本体部３０と覆い部３１とを有する。本体部３０は、円環形状の板状の構成部であり、例えば、合成樹脂によって形成されている。本体部３０の中央部分には、板厚方向に貫通する円形の貫通孔３０ｂが形成されている。覆い部３１は、円形であり、本体部３０の貫通孔３０ｂを閉塞している。覆い部３１は、本体部３０の最外周３０ａと同心上に配置されている。
【００１９】
本体部３０は、指針５によって指し示される目盛指標６を有する。目盛指標６は、本体部３０の外縁部分に設けられており、本体部３０の周方向に沿って所定の間隔で配置されている。本体部３０において、目盛指標６よりも半径方向の内側には、目盛指標６に対応する文字指標が設けられていることが好ましい。
【００２０】
図２に示すように、覆い部３１は、本体部３０の貫通孔３０ｂの背面側を覆っている。なお、表示装置１において、前面側は、ドライバ側や車室側であり、典型的には車両前後方向の後側を示す。また、背面側は、前面側と反対側であり、典型的には車両前後方向の前側を示す。覆い部３１は、本体部３０に対して固定されている。覆い部３１は、指針５の回転軸５ａが挿通される貫通孔３２を有する。
【００２１】
表示装置１は、更に、表示板１０、基板１１、および光源１２を有する。表示板１０は、覆い部３１の背面側に配置されている。表示板１０は、情報を表示する複数のインジケータ１０ａを有する。インジケータ１０ａは、インジケータ意匠の形状で発光する表示部である。インジケータ意匠は、例えば、車両に関する各種の警告や機器の作動状態などの情報を図柄等で表示するものである。表示板１０は、例えば、透明の樹脂製の板本体と、板本体に対して暗色系のインクが印刷された印刷部とを有するものである。印刷部は、インジケータ意匠の形状の中抜け印刷部を有する。本実施形態のインジケータ１０ａは、この中抜け印刷部である。
【００２２】
覆い部３１は、インジケータ１０ａの前面を覆っている。すなわち、覆い部３１は、円形表示部３におけるインジケータ１０ａと対向する領域に配置されている。言い換えると、覆い部３１は、文字板７におけるインジケータ１０ａと対向する領域に設けられている。本実施形態の円形表示部３では、貫通孔３０ｂの領域が、インジケータ１０ａと対向する領域、言い換えるとインジケータ１０ａの前面側の領域である。
【００２３】
基板１１および光源１２は、表示板１０の背面側に配置されている。光源１２は、例えば、ＬＥＤ（発光ダイオード）であり、基板１１に固定されている。複数のインジケータ１０ａに対して、基板１１のそれぞれ対向する位置に光源１２が配置されている。光源１２は、背面側からインジケータ１０ａに対して光を照射する。インジケータ１０ａは、光源１２からの光によって発光する。つまり、表示部としてのインジケータ１０ａは、背面側から照射される光によって、インジケータ意匠の形状で発光する。
【００２４】
基板１１は、光源１２の点灯および消灯を制御する制御回路を有している。基板１１は、それぞれの光源１２を点灯または消灯させることにより、インジケータ１０ａの表示および非表示を切り替える。
【００２５】
図３に示すように、覆い部３１は、繊維３３を織って構成されている。本実施形態の覆い部３１では、繊維３３が平織りされている。図３に示すように、隣接する繊維３３の間には、隙間３４が存在する。平面視における隙間３４の形状は、矩形であり、例えば、略正方形である。本実施形態の覆い部３１では、同様の大きさおよび形状の隙間３４が等間隔で規則的に並んでいる。隙間３４の並び方向は、繊維３３の延在する方向である。
【００２６】
本実施形態において、隙間３４の幅Ｗ１は、繊維３３の幅Ｗ２と同様か、わずかに狭い。なお、幅Ｗ１および幅Ｗ２は、それぞれ隙間３４および繊維３３の平均的な幅の値である。あるいは、幅Ｗ１および幅Ｗ２は、隙間３４および繊維３３の最小幅の値や、最大幅の値であってもよい。
【００２７】
図４に示すように、覆い部３１は、板状またはシート状の部材である。図４に示すように、覆い部３１は、前面側に金属膜３５が形成されている。本実施形態の繊維３３は、透明または半透明な樹脂繊維であり、例えば、合成樹脂製である。繊維３３の材料は、例えば、ポリエステルや、ポリエチレン、ナイロン、アクリルである。ポリエステルとしては、例えば、ＰＥＴ（ポリエチレンテレフタレート）が挙げられる。ポリエチレンとしては、ＰＰ（ポリプロピレン）やＰＴＦＥ（ポリテトラフルオロエチレン）等のフッ素樹脂が挙げられる。繊維３３は、無色透明または半透明であっても、有色の透明または半透明であってもよい。金属膜３５は、繊維３３の前面に形成された膜である。本実施形態の金属膜３５は、スパッタリングによって形成される。繊維３３の織物に対して、その一面にスパッタリングによって金属膜３５が形成される。金属膜３５は、例えば、アルミニウムやステンレススチール等の金属で構成される。
【００２８】
本実施形態の金属膜３５は、背面側から前面側へと光を透過させる半透過膜である。金属膜３５が半透過性を有し、一部の光を透過させると共に一部の光を反射するように、金属膜３５の厚さ等が調整されている。覆い部３１において、繊維３３が透明または半透明であり、かつ金属膜３５が半透過性を有する。従って、覆い部３１の全体が光透過性を有している。インジケータ１０ａが発光する光Ｌｔ１は、図４に示すように覆い部３１の繊維３３および金属膜３５を透過する（矢印Ｙ１参照）。また、光Ｌｔ１は、繊維３３と隣接する繊維３３との隙間３４を通過する（矢印Ｙ２参照）。このように、本実施形態の覆い部３１は、発光するインジケータ１０ａの光Ｌｔ１を前面側に通過させる。覆い部３１は、表示状態にあるインジケータ１０ａの光Ｌｔ１を遮断せず、全面的に通過させることができる。
【００２９】
金属膜３５は、半透過性を有することから、前面側から入射する光Ｌｔ２を前面側に向けて反射する（矢印Ｙ３参照）。よって、金属膜３５は、この反射光によって光沢を呈し、主としてインジケータ１０ａの非表示状態において金属調の外観を演出する。つまり、金属膜３５は、覆い部３１の前面において光沢を呈し、覆い部３１が金属で形成されているかのように見せることができる。
【００３０】
また、覆い部３１は、各インジケータ１０ａの前面を一体的に覆っている。シート状の覆い部３１は、非表示状態のインジケータ１０ａを覆い隠して、非表示状態のインジケータ１０ａを目立たなくする。非表示状態のインジケータ１０ａは、光源１２によって照らされておらず、発光していない。従って、前面側からの光を反射する覆い部３１は、発光してないインジケータ１０ａを背後に隠し、目立たなくすることができる。また、覆い部３１は、繊維３３を織って構成されていることから、立体感を有している。立体感に富んだ覆い部３１は、背後にある平面的なインジケータ１０ａを目立たなくすることができる。金属膜３５の反射率を調節することや、隙間３４の幅Ｗ１および繊維３３の幅Ｗ２を調節することにより、非表示状態のインジケータ１０ａを車室側から実質的に視認できないようにすることも可能である。
【００３１】
このように、本実施形態に係る表示装置１は、表示状態にあるインジケータ１０ａの光Ｌｔ１の通過を阻害せず、表示状態のインジケータ１０ａの視認性を十分に確保することができる。一方、表示装置１は、非表示状態にあるインジケータ１０ａを覆い隠してその存在を目立たなくすることができる。覆い部３１は、繊維３３を織って構成されていることから、立体感を有している。従って、本実施形態の表示装置１は、表示部としてのインジケータ１０ａによる表示内容の視認性を確保しつつ、表示装置１の意匠性を向上させることができる。
【００３２】
図５および図６には、それぞれ表示状態のインジケータ１０ａが示されている。図５と図６では、覆い部３１の繊維３３の太さ、すなわち織り目の細かさが異なる。図６に示す覆い部３１の繊維３３の太さは、図５に示す覆い部３１の繊維３３の太さよりも太い。図６に示す覆い部３１の織り目は、図５に示す覆い部３１の織り目よりも粗い。図５および図６からわかるように、繊維３３が細い覆い部３１（図５）は、繊維３３が太い覆い部３１（図６）よりも目立ちにくく、インジケータ１０ａの視認性を阻害しにくい。一方、繊維３３が太い覆い部３１は、繊維３３が細い覆い部３１よりも立体感に富む。覆い部３１においてインジケータ１０ａの視認性の確保と立体感による意匠性の向上とを両立できるように、繊維３３の太さや織り目の細かさが設定されることが望ましい。
【００３３】
以上説明したように、本実施形態に係る表示装置１は、背面側から照射される光によって発光するインジケータ１０ａと、繊維３３を織って構成され、インジケータ１０ａの前面を覆い、かつ発光するインジケータ１０ａの光を前面側に通過させる覆い部３１と、を有する。覆い部３１が繊維３３を織って構成されることから、覆い部３１が立体感や質感を備えたものとなる。よって、本実施形態の表示装置１は、意匠性に優れる。また、覆い部３１は、インジケータ１０ａが発光する光を前面側に通過させることから、インジケータ１０ａの視認性を阻害しにくい。
【００３４】
本実施形態に係る表示装置１において、覆い部３１は、光透過性を有し、インジケータ１０ａの光を背面側から前面側に透過させる。光透過性を有する覆い部３１は、発光するインジケータ１０ａの視認性を向上させることができる。
【００３５】
本実施形態の覆い部３１は、透明または半透明な樹脂繊維を織って構成されており、かつ覆い部３１の前面には金属膜３５が形成されている。覆い部３１の前面に形成された金属膜３５は、金属調の外観を演出し、表示装置１の意匠性を向上させる。
【００３６】
本実施形態の表示装置１では、表示部は、車両用メータの文字板７の背面側に配置され、情報を表示するインジケータ１０ａである。覆い部３１は、文字板７におけるインジケータ１０ａと対向する領域に配置されている。このように表示装置１が車両用メータに適用された場合には、車両用メータの意匠性を向上させることができる。
【００３７】
［第２実施形態］
図７を参照して、第２実施形態に係る表示装置１について説明する。第２実施形態については、上記第１実施形態で説明したものと同様の機能を有する構成要素には同一の符号を付して重複する説明は省略する。図７は、第２実施形態に係る覆い部の断面図である。
【００３８】
図７に示す覆い部３１において、金属膜３６は、光透過性を有していない。言い換えると、金属膜３６は、背面側から前面側への光の透過を許容しない。従って、インジケータ１０ａが発する光Ｌｔ１のうち、隙間３４を通過する通過光（矢印Ｙ４参照）が車室側から視認される。一方、インジケータ１０ａが発する光Ｌｔ１のうち、繊維３３に向かう光は前面側へ透過しない。
【００３９】
第２実施形態の覆い部３１では、金属膜３６が非透過性である。このため、金属膜３６は、上記第１実施形態の金属膜３５よりも高い反射性を有する。よって、第２実施形態の金属膜３６は、上記第１実施形態の金属膜３５よりも金属調を演出する点で有利である。第２実施形態の覆い部３１では、繊維３３は光透過性を有しないものであってもよい。
【００４０】
［各実施形態の変形例］
上記第１実施形態および第２実施形態の変形例について説明する。繊維３３の織り方は、上記実施形態で例示された平織りには限定されない。繊維３３は、綾織り等の織り方によって織られていてもよい。繊維３３の織り方は、規則的なものには限定されない。覆い部３１は、互いに異なる太さの繊維３３を含んでいても、互いに異なる素材の繊維３３を含んでいてもよい。覆い部３１は、予め金属膜３５，３６が形成された繊維３３が織られたものであってもよい。この場合に、繊維３３が透明または半透明な樹脂繊維であれば、繊維３３の表面には半透過性を有する金属膜３５が形成されることが望ましい。
【００４１】
金属膜３５，３６は、覆い部３１の前面に代えて背面に形成されてもよい。背面に金属膜３５，３６が形成された場合であっても、覆い部３１は、金属膜３５，３６の反射光によって光沢を呈し、金属調を演出することができる。
【００４２】
繊維３３の表面には金属膜３５や金属膜３６が形成されていなくてもよい。この場合、高級感や質感を向上させる観点からは、繊維３３が有色であってもよい。なお、ここでいう「有色」には、白色や黒色も含まれるものとする。有色の覆い部３１においては、繊維３３を構成する樹脂が予め着色されていても、樹脂製の繊維３３の表面に着色がなされてもよい。繊維３３の色は、例えば、濃色とされてもよい。
【００４３】
繊維３３の素材は、樹脂には限定されない。例えば、繊維３３は、金属繊維であってもよい。つまり、覆い部３１は、金属繊維を織って構成されたものであってもよい。この場合、覆い部３１は金属膜３５，３６を有していなくてもよい。
【００４４】
インジケータ１０ａや覆い部３１が配置される領域は、円形表示部３の内側部分には限定されない。例えば、文字板７における円形表示部３の外側の領域にインジケータ１０ａや覆い部３１が配置されてもよい。つまり、文字板７において、どの領域にインジケータ１０ａおよび覆い部３１が設けられてもよい。
【００４５】
覆い部３１は、本体部３０に対して固定されることに代えて、表示板１０等の他の部材に対して固定されてもよい。
【００４６】
表示部は、例示したインジケータ１０ａには限定されない。表示部は、例えば、液晶表示部であってもよい。表示装置１は、メータに限らず、車両内に配置される他の表示装置であってもよい。また、表示装置１は、車両用には限定されない。表示装置１は、例えば、家庭用や業務用の電化製品など、発光する表示部を有する製品に適用されてもよい。
【００４７】
上記の実施形態および変形例に開示された内容は、適宜組み合わせて実行することができる。
【符号の説明】
【００４８】
１  表示装置
２  インストルメントパネル
３  円形表示部
４  画像表示部
５  指針
５ａ  回転軸
６  目盛指標
７  文字板
１０  表示板
１０ａ  インジケータ
１１  基板
１２  光源
３０  本体部
３０ａ  最外周
３０ｂ  貫通孔
３１  覆い部
３２  貫通孔
３３  繊維
３４  隙間
３５，３６  金属膜
Ｗ１  隙間の幅
Ｗ２  繊維の幅
【図１】
0006760773.tif 000002
【図２】
0006760773.tif 000003
【図３】
0006760773.tif 000004
【図４】
0006760773.tif 000005
【図５】
0006760773.tif 000006
【図６】
0006760773.tif 000007
【図７】
0006760773.tif 000008